(57)【要約】【課題】ビルなどのトイレ室に備えられた複数のトイレブース間で連携をとりながら各便器装置の自動洗浄ができるようにしたトイレブース便器洗浄システムを提供する。【解決手段】それぞれに自動洗浄手段を備えた洋風便器装置を設置したトイレブース便器洗浄システムであって、それぞれのトイレブース１０は、洗浄時の状態表示手段１３を備えるとともに、天井面Ｃを共通にして、それぞれの仕切壁Ｗで区分される該天井面Ｃの特定位置にワイヤレス送受信器１６ｂを設けており、トイレブース内の自動洗浄手段１２は、ワイヤレス送受信器１６ａを通じて送受される洗浄指令信号を伝達しながら、所定の自動洗浄プログラムに従って作動する構成にしている。【選択図】図１
2008025287.tif 000002
【特許請求の範囲】
【請求項１】
それぞれに自動洗浄手段を備えた洋風便器装置を設置したトイレブース便器洗浄システムであって、
それぞれのトイレブースは、洗浄時の状態表示手段を備えるとともに、天井面を共通にして、それぞれの仕切壁で区分される該天井面の特定位置にワイヤレス送受信器を設けており、
上記トイレブース内の自動洗浄手段は、上記ワイヤレス送受信器を通じて送受される洗浄指令信号を伝達しながら、所定の自動洗浄プログラムに従って作動する構成にしていることを特徴とするトイレブース便器洗浄システム。
【請求項２】
請求項１において、
それぞれのトイレブースは、人体検知手段を備えており、
上記トイレブース内の自動洗浄手段は、上記人体検知手段によって人体を検知したときには、自動洗浄を禁止して、上記ワイヤレス送受信器を通じて、次のトイレブースに洗浄指令信号を伝達し、人体の検知がなくなったときに、自動洗浄を開始する構成にしていることを特徴とするトイレブース便器洗浄システム。
【請求項３】
請求項２において、
上記自動洗浄手段は、上記トイレブースのいずれか１つは使用可能なようにして、上記自動洗浄プログラムを実行するようにしていることを特徴とするトイレブース便器洗浄システム。
【発明の詳細な説明】
【技術分野】
【０００１】
本発明は、所定時刻に到達したこと、所定の汚れを検出したことなどをトリガとして便器の自動清掃を実行する洋風便器装置を有したトイレブースを複数有したトイレブース便器洗浄システムに関する。
【背景技術】
【０００２】
近年、便器未使用時に便器本体のボウル部内全エリアの洗浄、乾燥などの一連の自動清掃を行う自動洗浄モードを実行可能とした洋風便器装置が開発されている。
【０００３】
この自動洗浄モードは、所定時刻に到達したこと、所定の汚れを検出したこと、あるいはスイッチ操作などをトリガとして自動清掃が開始され、ボウル部内の各部位の洗浄と乾燥が連続的に実行されるため、ボウル部内については人手による清掃がほとんど不要である。
【０００４】
特許文献１には、自動洗浄が可能な便器装置が開示されている。
【特許文献１】特開平１１−３４６９６０号公報
【発明の開示】
【発明が解決しようとする課題】
【０００５】
ところで、ビルなどのトイレ室には、仕切壁で仕切られた複数のトイレブースを備えているが、これらに上記の自動洗浄モードを有した便器装置を適用させた場合、次のような種々の問題が発生する。
【０００６】
すなわち、操作により起動するものでは、複数の便器装置を１つずつ操作しなければならないため不便であり、また、所定時刻にあるいは所定の汚れ検出などの条件でそれぞれの便器装置が自動起動するものでは、各便器装置は装置間で連携することなく不規則に自動洗浄モードに入るため、利用者にとって自動洗浄タイミングの予測ができず、トイレを使用しにくいという問題がある。
【０００７】
本発明は、このような事情を考慮して提案されたもので、その目的は、ビルなどのトイレ室に備えられた複数のトイレブースのブース間で連携をとりながら各便器装置の自動洗浄ができるようにしたトイレブース便器洗浄システムを提供することにある。
【０００８】
また、利用者のために複数のトイレブースの少なくとも１つは使用可能状態にしておくことが望ましく、同時に全ての便器が自動洗浄モードになることを避けるようにすることも、主たる目的に含まれる。
【課題を解決するための手段】
【０００９】
上記目的を達成するために、請求項１に記載の本発明システムは、それぞれに自動洗浄手段を備えた洋風便器装置を設置したトイレブース便器洗浄システムであって、それぞれのトイレブースは、洗浄時の状態表示手段を備えるとともに、天井面を共通にして、それぞれの仕切壁で区分される該天井面の特定位置にワイヤレス送受信器を設けており、トイレブース内の自動洗浄手段は、ワイヤレス送受信器を通じて送受される洗浄指令信号を伝達しながら、所定の自動洗浄プログラムに従って作動する構成にしている。
【００１０】
請求項２に記載の本発明システムは、それぞれのトイレブースは人体検知手段を備えており、トイレブース内の自動洗浄手段は、人体検知手段によって人体を検知したときには、自動洗浄を禁止して、ワイヤレス送受信器を通じて、次のトイレブースに洗浄指令信号を伝達し、人体の検知がなくなったときに、自動洗浄を開始する構成にしている。
【００１１】
請求項３に記載の本発明システムは、自動洗浄手段はトイレブースのいずれか１つは使用可能なようにして、自動洗浄プログラムを実行するようにしている。
【発明の効果】
【００１２】
請求項１に記載の本発明によれば、天井面を介して洗浄指令信号をワイヤレス送受信する構成であるため、連続して隣り合ったトイレブースに適用でき、ビルなどのトイレ室に設置した複数のトイレブースは相互に連携がとれ、そのため、全てのブースについて自動洗浄の起動操作をする必要がなく、これらのトイレブースをブースの並び順にしたがって自動清掃することができる。また、洗浄時の状態表示手段を備えているため、どのトイレブースが洗浄中であるかを視認することができる。
【００１３】
請求項２に記載の本発明によれば、人体検知手段によって人体を検知したときには、自動洗浄を禁止して、ワイヤレス送受信器を通じて、次のトイレブースに洗浄指令信号を伝達し、人体の検知がなくなったときに、自動洗浄を開始する構成にしているので、便器使用が終わった後に洗浄指令を待つことなく、自動洗浄を開始することができる。
【００１４】
請求項３に記載の本発明によれば、トイレブースのいずれか１つは使用可能な構成としているため、すべてのトイレブースが使用できないことはなく、利便性が高い。
【発明を実施するための最良の形態】
【００１５】
以下に、本発明の実施の形態について、添付図面を参照しながら説明する。
【００１６】
図１は本実施形態のシステム説明図、図２は各トイレブースの要部制御ブロック図、図３は各トイレブースの自動洗浄手段の基本動作を示すフローチャートである。この本実施形態は、ビルなどで、天井面を共通にして仕切壁Ｗで区切った複数のトイレブース１０を有したトイレ室に適用可能である。
【００１７】
ここで、トイレブース１０は仕切壁Ｗで仕切られた空間そのものを指すものではなく、その空間に設置した便器装置（本体）、それに備わった、あるいは接続された種々の装置（後述する自動洗浄手段、人体検知手段、状態表示灯など）を含んだものとして位置付けられる。
【００１８】
本実施形態に示すシステムは、図１に示すように、複数のトイレブース１０、１０・・・が無線でネットワーク接続されており、図１、図２に示すように、それぞれのトイレブース１０は、自動洗浄モードの清掃のための一連の洗浄や乾燥を連続的に実行する自動洗浄手段１２と、洗浄時の状態を表示する状態表示手段１３と、便器使用の有無を検知するための人体検知手段１４と、自動洗浄を開始操作するための操作手段１５と、他のトイレブース１０と通信するためのワイヤレス通信手段（ワイヤレス送受信器）１６ａと、これらを制御するとともに、状態表示手段１３を表示制御しながら、トイレブース１０内の自動洗浄手段１２を作動させるようにした制御部１１とを備えている。
【００１９】
自動洗浄手段１２は、自動洗浄プログラムを含んで構成され、制御部１１からの作動により自動洗浄プログラムが起動し、そのプログラムにしたがって不図示の自動洗浄機構を制御して、便器本体１７のボウル部（不図示）内の自動洗浄を実行する。
【００２０】
これらの構成部のうち制御部１１、自動洗浄手段１２は洋風便器装置の便器本体１７に内蔵されることが望ましいが、人体検知手段１４、通信手段１６ａ、操作手段１５は、便器本体１７またはトイレブース１０内の適所に設けられればよい。状態表示手段１３は、例えばトイレブース１０の扉に設けた状態表示灯、トイレブース１０内の壁に取り付けた表示操作パネル、便器本体１７に内蔵した表示部などいずれでもよく、便器そのものが光るものでもよい。なお、いずれに設置してもよいが、各部は相互に接続されていることはいうまでもない。また、表示操作パネルで状態表示手段１３と操作手段１５とを構成してもよい。
【００２１】
また、上記ワイヤレス通信手段１６ａは、便器本体１７に内蔵したものでも後付けしたものでもよく、天井面Ｃには、このワイヤレス通信手段１６ａからのワイヤレス信号を中継して隣のトイレブース１０のワイヤレス通信手段１６ａに転送するためのワイヤレス送受信器１６ｂが設置されている。ワイヤレス信号は自動洗浄の洗浄指令を含むものであるが、便器を特定するＩＤコードを含めてもよい。なおワイヤレス信号は、赤外線、超音波などでもよい。
【００２２】
ワイヤレス通信手段１６ａが送出したワイヤレス信号はいったん、天井面Ｃに設けたワイヤレス送受信器１６ｂで受信し、そのワイヤレス送受信器１６ｂが隣のトイレブース１０のワイヤレス送受信器１６ａに送信し、その後は順次同様に、最後のトイレブース１０のワイヤレス通信手段１６ａまで信号を伝達していく。
【００２３】
このように本システムは、自動洗浄の洗浄指令信号を、天井面Ｃのワイヤレス送受信器１６ｂを介して、隣接するトイレブース１０へ伝達していく構成としており、つまり、始点となるトイレブース１０と終点となるトイレブース１０が予め定められている。
【００２４】
図３は、各トイレブース１０の自動洗浄手段１２（自動洗浄プログラム）の基本動作を示している。なお、この図では始点と終点の間のトイレブース１０での基本動作を示しており、始点、終点のトイレブース１０での動作については、図示を省略する。始点ではプログラムの起動が操作手段１５の操作による点が異なり、終点では次ブースへの指令伝達を行わない点が図３のものと異なる。
【００２５】
ワイヤレス信号により洗浄指令を受けた各トイレブース１０では、そのトイレブース１０が使用中かどうかを人体検知手段１４からの人体検知信号により判断し、使用中でなければ自動洗浄機構を作動させて自動洗浄モードを開始し、自動洗浄が終了すれば、次のトイレブース１０（天井面のワイヤレス送受信器１６ｂ）へ洗浄指令信号を送出する（ステップ１０１〜１０５）。なお、状態表示手段１３は自動洗浄の開始、終了に連動して、点灯、消灯がなされる。なお、自動洗浄が終了した後、タイマー手段（不図示）を参照して所定時間後に指令信号を送出するようにしてもよい。
【００２６】
また、使用中であれば、天井面のワイヤレス送受信器１６ｂを介して、次のトイレブース１０へ洗浄指令信号を送出し、その後、当該トイレブース１０の使用が終了するのを待って自動洗浄を開始する（ステップ１０６〜１０８）。
【００２７】
このように、天井面Ｃを介して洗浄指令信号を順次リレーする構成であるため、自動洗浄モードを操作により起動する場合、所定時刻になったとき自動起動する場合、所定の条件で自動起動する場合のいずれであっても、起動してからほぼ一定の時刻帯の間で、始点から終点までのすべてのトイレブース１０について便器の自動洗浄を完了させることができる。
【００２８】
本実施形態では、始点となるブース１０での１回の自動洗浄の起動で、洗浄指令信号が終点となるブース１０まで１回のみ伝達する構成とすれば、このように、各トイレブース１０では使用中のときには使用終了を待ち、自らの判断で自動洗浄を開始する必要がある。
【００２９】
次トイレブース１０へのワイヤレス洗浄指令信号は、洗浄指令を受けてすぐに転送するようにしてもよいが、洗浄終了後に伝達するロジックとすることにより、トイレブース１０が同時に自動洗浄中となることを防止できる。
【００３０】
ただし、上記のような構成においても、すべてのトイレブース１０が使用中であるため、すべてのトイレブース１０が自己の判断で自動洗浄を開始する場合には、同時に自動洗浄が行われるおそれがあるが、そのような事態を回避し、確実に１つのトイレブース１０を使用可能状態とするために、１回の洗浄リレーにおいて必ずいずれかのトイレブース１０での自動洗浄をスキップできる構成としてもよい。
【００３１】
例えば、それぞれのトイレブース１０が何回目の指令であるかをカウントしておき、（ｎ＊Ｎ）回目であれば先頭のトイレブース１０、（ｎ＊Ｎ−１）回目であれば２番目のトイレブース、・・・（ｎ＊Ｎ−（Ｎ−１））回目であれば最後のトイレブース１０が、それぞれの制御部１１の判断によりスキップするロジックとすればよい。ここで、Ｎはトイレブースの台数、ｎは１以上の整数を示している。
【００３２】
また、自動洗浄が１日に１回のみ起動されるのであれば、各トイレブース１０が内蔵カレンダー（不図示）でスキップの要否を判断するようにしてもよい。ワイヤレス信号に洗浄をスキップするトイレブース１０のＩＤコードを含め、そのＩＤコードを自動洗浄の起動のつど巡回設定するようにしてもよい。
【００３３】
また、使用中のためすぐに指令を隣のブースへリレーする場合、その指令信号に使用中のカウンタを含め、最後のトイレブースが、カウンタを見てそれまでのブースがすべて使用中であるかどうかを判断し、すべてが使用中であれば、その回の自動洗浄はパスするようにしてもよい。
【００３４】
さらに、始点となるブース１０での１回の自動洗浄の起動で、洗浄指令信号を、順、逆往復あるいは１往復半以上リレーするようにし、各トイレブース１０が数回受信した洗浄指令にもとづいて少なくとも１回、自動洗浄モードを実行するようにしてもよい。各トイレブース１０は使用中のときは隣へリレーするだけでよく、その後に自己判断で洗浄開始しなくとも、すべてのブース１０でほとんどもれることなく自動洗浄を実行できる。しかも、自己判断による自動洗浄が行われないため、同時にすべてが自動洗浄モードになるおおれがない。
【図面の簡単な説明】
【００３５】
【図１】本発明システムの説明図。
【図２】本発明システムにおける要部制御ブロック図。
【図３】本発明システムにおける各トイレブースの基本動作の一例を示すフローチャート。
【符号の説明】
【００３６】
１０      トイレブース
１１      制御部
１２      自動洗浄手段
１３      状態表示手段
１４      人体検知手段
１５      操作手段
１６ａ      ワイヤレス通信手段（ワイヤレス送受信器）
１６ｂ      天井面に設置するワイヤレス送受信器
１７      便器本体
Ｗ      仕切壁
【図１】
2008025287.tif 000003
【図２】
2008025287.tif 000004
【図３】
2008025287.tif 000005